(57)【要約】【課題】基台にロール付箋体を支持させてなり、簡易な構造で廉価に製造できる台付きフセンディスペンサーを提供する。【解決手段】表側に仮留め面Ｓを有する平坦な基台２と、片面に粘着層１４ａを有する付箋１４が切り離し線１６を介して連続する付箋シート１２を含み、このフセンシート１２が軸部１８の回りに巻装されてなる筒状のロール付箋体１０と、上記基台２に取り付けられ、ロール付箋体１０を回転可能に支持する支持体２０とを具備する。ロール付箋体１０は、仮留め面Ｓと隣り合わせに、上記基台２の表側に沿って横向きに支持されている。ロール付箋体１０から仮留め面Ｓの方向へ付箋シート１２を引き出した状態で、付箋シート１２の粘着層１４ａと、仮留め面Ｓとが向かい合うように構成されている。【選択図】図１
2017128341.tif 000002
【特許請求の範囲】
【請求項１】
平坦な基台(２)と、
片面に粘着層(１４ａ)を有する付箋(１４)が切り離し線(１６)を介して連続する付箋シート(１２)を含み、この付箋シート(１２)が軸部(１８)の回りに巻装されてなる筒状のロール付箋体(１０)と、
上記基台(２)に取り付けられ、ロール付箋体(１０)を回転可能に支持する支持体(２０)と
を具備し、
基台(２)は、表側に仮留め面(Ｓ)を有し、
ロール付箋体(１０)は、仮留め面(Ｓ)と隣り合わせに、上記基台(２)の表側に沿って横向きに支持されており、
ロール付箋体(１０)から仮留め面(Ｓ)の方向へ付箋シート(１２)を引き出した状態で、付箋シート(１２)の粘着層(１４ａ)と、仮留め面(Ｓ)とが向かい合うように構成されたことを特徴とする、台付き付箋ディスペンサー。
【請求項２】
付箋シート(１２)がロール付箋体のうち基台(２)寄りの箇所から引き出され、その引き出し箇所と仮留め面(Ｓ)とが隣り合っていることを特徴とする、請求項１記載の台付き付箋ディスペンサー。
【請求項３】
上記支持体(２０)は、
上記基台(２)に取り付けられ、ロール付箋体(１０)を囲む筒状ケース(２２)と、
この筒状ケース(２２)の筒軸方向の各端部からのロール付箋体(１０)の抜け出しを防止する係止手段(２８)と、
を具備し、上記筒状ケース(２２)の筒壁に筒軸方向に延びる引き出し口(２４)を有することを特徴とする、請求項１又は請求項２記載の台付き付箋ディスペンサー。
【請求項４】
上記係止手段(２８)は、筒状ケース(２２)の外側で筒軸方向に延び、両側にロール付箋体(１０)の軸部(１８)の両端部(１８ａ)に回転可能に係止するフック部(３２)を有することを特徴とする、請求項３記載の台付き付箋ディスペンサー。
【請求項５】
基台(２)の仮留め面(Ｓ)にロール付箋体(１０)の軸部(１８)と平行な複数の罫線(Ｒ)を一定の間隔に形成し、
上記付箋シート(１２)は、仮留め面(Ｓ)に仮留めされた状態で罫線を透視可能な材料で形成されていることを特徴とする、請求項１から請求項４のいずれかに記載の台付き付箋ディスペンサー。
【請求項６】
上記罫線同士の間隔(ｉ)と付箋シートの付箋の巾(ｗ)とが等しいことを特徴とする、請求項５記載の台付き付箋ディスペンサー。
【発明の詳細な説明】
【技術分野】
【０００１】
本発明は、台付き付箋ディスペンサーに関する。
【背景技術】
【０００２】
この種の装置として、装置本体の側面に開口する水平な吐出口（スリット）から付箋を吐出するとともに、その吐出口の下側から受台を突出してなり、その受台の上に付箋を載せてメモ等を書くことが可能なものが知られている（特許文献１）。
【先行技術文献】
【特許文献】
【０００３】
【特許文献１】特開２００７−１９７１２１
【発明の概要】
【発明が解決しようとする課題】
【０００４】
特許文献１の装置は、装置本体が付箋プリンターになっており、構造が複雑で高価となっていた。また携帯して手で支持して使用したり、机の上に置いたりして使用することには不向きであった。
【０００５】
本発明の第１の目的は、基台にロール付箋体を支持させてなり、簡易な構造で廉価に製造できる台付き付箋ディスペンサーを提供することである。
本発明の第２の目的は、基台にロール付箋体を支持させてなり、使い勝手のよい台付き付箋ディスペンサーを提供することである。
【課題を解決するための手段】
【０００６】
第１の手段は、
平坦な基台２と、
片面に粘着層１４ａを有する付箋１４が切り離し線１６を介して連続する付箋シート１２を含み、この付箋シート１２が軸部１８の回りに巻装されてなる筒状のロール付箋体１０と、
上記基台２に取り付けられ、ロール付箋体１０を回転可能に支持する支持体２０と
を具備し、
基台２は、表側に仮留め面Ｓを有し、
ロール付箋体１０は、仮留め面Ｓと隣り合わせに、上記基台２の表側に沿って横向きに支持されており、
ロール付箋体１０から仮留め面Ｓの方向へ付箋シート１２を引き出した状態で、付箋シート１２の粘着層１４ａと、仮留め面Ｓとが向かい合うように構成されている。
【０００７】
本手段は、図１に示すように平坦な基台２にロール付箋体１０を支持してなる、簡易な台付きディスペンサーを提案している。基台２は筆記台を兼ねており、付箋の仮留め面Ｓを表側に有する。
【０００８】
第２の手段は、第１の手段を有しており、かつ
付箋シート１２がロール付箋体のうち基台２寄りの箇所から引き出され、その引き出し箇所と仮留め面Ｓとが隣り合っている。
【０００９】
本手段は、図２に示すように付箋シート１２がロール付箋体のうち基台２寄りの箇所（図面ではロール付箋体の下側）から引き出される構造を提案している。その引き出し箇所と仮留め面Ｓとは隣接しており、引き出し箇所から引き出された付箋シートのほぼ全てが仮留め面Ｓに粘着されるようにしている。これにより、引き出し箇所と仮留め面との間で空気中の埃などが粘着層に付着して粘着力が低減するという不都合を低減することができる。
【００１０】
第３の手段は、第１の手段又は第２の手段を有しており、かつ
上記支持体２０は、
上記基台２に取り付けられ、ロール付箋体１０を囲む筒状ケース２２と、
この筒状ケース２２の筒軸方向の各端部からのロール付箋体１０の抜け出しを防止する係止手段２８と、
を具備し、上記筒状ケース２２の筒壁に筒軸方向に延びる引き出し口２４を有する。
【００１１】
本手段は、図１に示すように、支持体２０の好適な態様を開示している。支持体２０は、ロール付箋体１０を囲む筒状ケース２２を有する。この筒状ケース２２の各端部からの抜け出しを係止手段２８により防止しており、台付き付箋ディスペンサーを携帯する際に便利な構造となっている。
【００１２】
第４の手段は、第３の手段を有しており、かつ
上記係止手段２８は、筒状ケース２２の外側で筒軸方向に延び、両側にロール付箋体１０の軸部１８の両端部１８ａに回転可能に係止するフック部３２を有する。
【００１３】
本手段は、図１に示すように、係止手段２８は、ロール付箋体１０の軸部１８の両端部１８ａに係止するフック部３２を有する。
【００１４】
第５の手段は、第１の手段から第４の手段のいずれかを有しており、かつ
基台２の仮留め面Ｓにロール付箋体１０の軸部１８と平行な複数の罫線Ｒを一定の間隔に形成し、
上記付箋シート１２は、仮留め面Ｓに仮留めされた状態で罫線を透視可能な材料で形成されている。
【００１５】
本手段は、図１に示すように仮留め面Ｓに複数の罫線Ｒを形成しており、これら罫線が付箋シート１２を介して透視可能に形成している。これにより筆記台の利用価値が高まる。それら罫線Ｒは、ロール付箋体１０の軸部１８と平行であり、罫線に沿ってメモを書いた付箋を切り取るときに都合がよい。
【００１６】
第６の手段は、第５の手段を有しており、かつ
上記罫線同士の間隔ｉと付箋シートの付箋の巾ｗとが等しい。
【００１７】
本手段は、図１に示すように罫線同士の間隔ｉと付箋シートの付箋の巾ｗとを等しくしている。これにより切り離し線１６の両側にまたがってメモをすることを防止できる。
すなわち、ミシン目入りのロール付箋体１０はミシン目部分に文字がかかると、文字が途中で切れてしまうおそれがあり、たとえばメモ用途での使用上不便が生じる場合がある。目測で付箋のミシン目１６と筆記部分の罫線Ｒをあわせることは例えば透過度の高い素材を使用した付箋においては非常に難しくなる。付箋のミシン目が見づらくなるためである。
【発明の効果】
【００１８】
第１の手段に係る発明によれば、ロール付箋体１０を基台２に支持させたので、構造が簡易で廉価に製造できる。基台２の仮留め面Ｓにシート付箋１４を仮留めした状態で、基台２を筆記台として付箋にメモをすることができ、また基台２は、例えば机上において使用してもよく、手にもって使用することもできるので、使い勝手がよい。
第２の手段に係る発明によれば、ロール付箋体１０の基台側の引き出し箇所と仮留め面Ｓとが隣接するから、引き出し箇所から仮留め面Ｓの間で付箋シート１２の粘着層１４ａが空気に露出し、埃などが付いて粘着力が低下するという不利益を低減できる。
第３の手段に係る発明によれば、ロール付箋体１０を筒状ケース２２で囲むから、ロール付箋体１０を保護することができ、台付き付箋ディスペンサーを携帯するときに便利である。
第４の手段に係る発明によれば、係止手段２８は、筒状ケース２２の外側で筒軸方向に延び、両側にロール付箋体１０の軸部１８の両端部１８ａに回転可能に係止するフック部３２を有するから、簡易な構成でありながら、確実にロール付箋体を抜止めすることができる。
第５の手段に係る発明によれば、仮留め面Ｓに形成された複数の罫線Ｒを付箋シート１２越しに透視できるので、筆記台としての利用度が高まる。
第６の手段に係る発明によれば、罫線Ｒの間隔ｉと付箋巾ｗとをあわせたうえで、罫線の位置を適切に設計し印刷をした製品とすることで、使用時にディスペンサーから引き出す際の摩擦音が変化する部分で付箋１４を引くのをやめ、筆記部分に貼りつければ、比較的容易にミシン目１６と罫線Ｒをぴったり合わせることができ、メモ用途での利便性が高まる。
【図面の簡単な説明】
【００１９】
【図１】本発明の第１実施形態に係る台付き付箋ディスペンサーの平面図である。
【図２】図１の台付き付箋ディスペンサーの側面図である。
【図３】図１の台付き付箋ディスペンサーの斜視図である。
【図４】図１の台付き付箋ディスペンサーの要部拡大図である
【発明を実施するための最良の形態】
【００２０】
図１から図３は、本発明の第１実施形態に係る台付き付箋ディスペンサーを示している。
この台付きディスペンサーは、基台２と、ロール付箋体１０と、支持体２０と具備している。
【００２１】
基台２は、好ましくは矩形の水平な板体であり、表側（図示例では上側）に仮留め面Ｓを有している。本実施形態では、台板４の上に柔軟な筆記板６を張り付けており、この筆記板６の上面を仮留め面Ｓとしている。図示例では、長方形状の台板４の長手方向の一端部を後述の筒状ケース２２の取付部として残して、台板４の残りの部分のほぼ全体に亘って筆記板６で覆っている。上記仮留め面Ｓは、複数の平行な罫線Ｒが描かれている。これらの罫線Ｒは、後述の軸部１８に平行である。なお、基台２の裏面には滑り止めを設けてもよい。
【００２２】
ロール付箋体１０は、全体として筒状であり、片面に粘着層１４ａを有する付箋１４がミシン目等の切り離し線１６を介して連続する付箋シート１２を含み、この付箋シート１２が軸部１８の回りに巻装されてなる。付箋シート１２は、粘着層１４ａを内側にして軸部１８に巻かれている。
付箋シート１２は、本実施形態では、罫線Ｒを透視可能な程度に透明又は半透明の素材で形成している。また上記付箋１４の幅ｗは、罫線Ｒ同士の間隔ｉと一致している。付箋シート１２はプラスチック製のシート材料にミシン目を入れたものとすることがよい。もっともこれらの構造は適宜変更することができる。
【００２３】
支持体２４は、筒状ケース２２と、係止手段２８とからなる。
【００２４】
上記筒状ケース２２は、上記台板４の一端部の表側（上面側）に横向きに取り付けられた円筒体であり、その取付箇所の傍らに、スリット状の引き出し口２４を形成している。図示例では円筒体の筒軸方向全長に亘って引き出し口２４を設けているが、その構造は適宜変更することができる。引き出し口２４は、仮留め面Ｓに隣接している。
ここで図示例では、図４に示すように、台板４を、上板部４ａ及び下板部４ｂからなる積層板とし、上板部４ａの一端部側で巾方向中間部を切り欠いて、この切欠き５内に筒状ケースのスリットの一方縁部から延出した取付け板部２５を挿入し、取付け板部を下板部４ａと筆記板６との間で挟持し、接着などにより固定している。
図示例の筒状ケース２２の構造は、金型成型により簡単に製造できる。もっともその構造及び製造方法は適宜変更することができる。
【００２５】
係止手段２８は、筒状ケース２２の外側に筒軸方向へ延びる伸長部３０の両側から一対のフック部３２を逆向きに折り返してなる。係止手段２８は弾性変形可能であり、例えば全体を一本の金属棒（針金など）で形成することができる。これにより、筒状ケース２２への係止手段２８の装着が容易になる。これらの構造は適宜変更することができる。
【００２６】
筒状ケース２２内には、ロール付箋体１０を包囲して、回転可能に支えており、このロール付箋体１０の軸部１８の各端部１８ａ内に上記フック部３２を遊挿させてなる。
上記ロール付箋体１０は、図２に示すようにロール付箋体１０の下側で付箋シート１２が仮留め面Ｓから離れる向き（図面では時計回り）に巻かれており、付箋シート１２が引き出し口２４で弯曲して仮留め面Ｓ側へ引き出されるように構成されている。
そうすると、付箋シート１２を引き出すときに、引き出し口２４の口縁に擦り付けられる。この際に、ミシン目位置で摩擦係数が変化するので、クリック感や摩擦音を生じ、付箋の一単位が引き出されたことが触覚乃至聴覚で認識できる。この作用を生ずるための付箋シートは例えばプラスチックで形成すればよい。
【００２７】
上記構成によれば、図１のように筒状ケース２２の引き出し口２４から付箋シート１２を引き出し、付箋シート１２の粘着層１４ａを仮留め面Ｓに張り付けた状態として使用し、保管し、或いは持ち運びできる。
なお、図１及び図２では、図示した構造を見ただけで理解できるように、便宜的に、付箋シートの先端部が仮留め面Ｓから突き出ている様子を描いているが、使用しない状態では付箋シートが仮留め面から突き出さないように保管することが望ましい。
この仮留め状態で仮留め面Ｓを筆記台として付箋の表面にメモを書くこともできる。
付箋シート１２から切り取るときには、罫線Ｒのピッチと切り離し線の巾をあわせたうえで必要数の付箋１４を切り取ればよい。
使用時にディスペンサーから引き出す際の摩擦音が変化する部分で付箋を引くのをやめ、筆記部分に貼りつければ、比較的容易にミシン目と罫線をぴったり合わせることができ、メモ用途での利便性が高まる。
本実施形態では、仮留め面を有する台板と、基板と、筒状ケースとを別パーツとして組み合わせているので、例えば台板は筆記に適した柔らかい材料、基板は把持部として適した剛性材料、筒ケースはロール付箋体の消耗具合を目視可能な透明材料という如く、異なる素材を組み合わせることで製品としての使用感を高めることができる。もっとも本発明は、複数パーツを組み合わせる方法だけでなく、各部材を予め一体的に成形する方法で製造することもできる。
【符号の説明】
【００２８】
２…基台  ４…台板  ６…筆記板
１０…ロール付箋体  １２…付箋シート  １４…付箋  １４ａ…粘着層
１６…切り離し線（ミシン目）  １８…軸部  １８ａ…同端部
２０…支持体  ２２…筒状ケース  ２４…引き出し口  ２８…係止手段  ３０…伸長部
３２…フック部
i…罫線間隔  Ｒ…罫線  Ｓ…仮留め面  ｗ…付箋巾
【図１】
2017128341.tif 000003
【図２】
2017128341.tif 000004
【図３】
2017128341.tif 000005
【図４】
2017128341.tif 000006